(57)【要約】      （修正有）【課題】ユーザが入浴を開始する前に浴室内を暖めておくことを効果的に実現することができる風呂装置を提供する。【解決手段】風呂装置１の制御装置４０は、湯はり運転を開始するとき、浴槽ＢＴの蓋Ｂｃを開けるべき旨を示す報知情報を出力する第１報知部と、浴室ＢＲの暖気が完了したか否かを判断する暖気判断部と、浴槽ＢＴ内の湯量が設定湯量に達したか否かを判断する湯量判断部と、暖気判断部及び湯量判断部の両方の判断結果が肯定的になったことを必要条件として、浴槽ＢＴへの湯はりが完了して入浴が可能な状態になった旨を示す報知情報を出力する第２報知部とを備える。【選択図】図１
2020143803.tif 000002
【特許請求の範囲】
【請求項１】
浴槽内の湯量があらかじめ設定された湯量である設定湯量になるように、加熱装置により加熱した湯を浴槽に供給する湯はり運転を実行可能な風呂装置であって、
前記湯はり運転を開始するとき、浴槽の蓋を開けるべき旨を示す第１報知情報を出力する第１報知部と、
前記第１報知情報の出力後、浴室の暖気が完了したか否かを判断する暖気判断部と、
前記浴槽内の湯量が前記設定湯量に達したか否かを判断する湯量判断部と、
前記暖気判断部の判断結果と前記湯量判断部の判断結果との両方が肯定的になったことを必要条件として、前記浴槽への湯はりが完了して入浴が可能な状態になった旨を示す第２報知情報を出力する第２報知部とを備えることを特徴とする風呂装置。
【請求項２】
請求項１記載の風呂装置において、
前記暖気判断部は、前記浴室の室温の検出値又は推定値と、前記浴槽内の湯温の検出値又は推定値と、あらかじめ設定された前記浴槽内の湯温の目標値とのうちの１つ以上のパラメータの値に応じて規定される判断条件に基づいて、前記浴室の暖気が完了したか否かを判断するように構成されていることを特徴とする風呂装置。
【請求項３】
請求項１又は２記載の風呂装置において、
前記暖気判断部は、前記湯量判断部の判断結果が肯定的になった後、前記浴槽内の湯温の検出値又は推定値が、前記湯量判断部の判断結果が肯定的になる前に前記浴槽に供給された湯水の温度よりも低い所定温度以下の温度に低下したときに、前記暖気が完了したと判断するように構成されていることを特徴とする風呂装置。
【請求項４】
請求項３記載の風呂装置において、
前記暖気判断部は、前記所定温度を、前記設定湯量が小さいほど、低くするように該設定湯量に応じて可変的に設定するように構成されていることを特徴とする風呂装置。
【請求項５】
請求項１〜４のいずれか１項に記載の風呂装置において、
前記加熱装置により加熱した湯は、湯はり水路を通って前記浴槽に供給されるように構成されており、該湯はり水路は、前記浴室内に設置されていることを特徴とする風呂装置。
【請求項６】
請求項１〜５のいずれか１項に記載の風呂装置において、
前記湯量判断部の判断結果が肯定的になった後、前記浴槽内の湯温があらかじめ設定された目標値以上の温度になるように該浴槽内の湯を加熱する追い焚き運転を実行し得るように構成されており、
前記第２報知部は、前記暖気判断部の判断結果と前記湯量判断部の判断結果との両方が肯定的になったことと、前記追い焚き運転によって、前記浴槽内の湯温の検出値又は推定値が、前記目標値以上の温度になったこととを必要条件として、前記第２報知情報を出力するように構成されていることを特徴とする風呂装置。
【請求項７】
請求項１〜５のいずれか１項に記載の風呂装置において、
前記浴槽へのユーザの入浴の開始を検知する入浴検知部をさらに備えており、
前記第２報知情報の出力後、前記入浴検知部によりユーザの入浴の開始が検知されたとき、前記浴槽内の湯温があらかじめ設定された目標値以上の温度になるように該浴槽内の湯を加熱する追い焚き運転を実行するように構成されていることを特徴とする風呂装置。
【発明の詳細な説明】
【技術分野】
【０００１】
本発明は、湯はり運転を行い得る風呂装置に関する。
【背景技術】
【０００２】
浴槽内の湯量が設定湯量になるように浴槽への湯はりを行う湯はり運転を実行可能な風呂装置では、従来、例えば特許文献１に見られる如く、ヒートショックの発生を防止するための機能を備えたものが知られている。この特許文献１の風呂装置では、湯はり運転の開始時に、外気温度又は浴室温度が低い場合に、浴槽の蓋を開けておくことを促す報知が行われる。これにより、湯はり運転時に浴槽内に供給された湯から浴室への放熱を促進することで、浴室内の室温を昇温させるようにしている。
【先行技術文献】
【特許文献】
【０００３】
【特許文献１】特開２０１８−４８７９５号公報
【発明の概要】
【発明が解決しようとする課題】
【０００４】
しかしながら、特許文献１の見られる技術では、浴槽への設定湯量の湯はりが完了すると、湯はり完了の報知が行われ、ひいては、入浴し得る状態になったことをユーザが認識する。このため、湯はりの設定湯量が少ない場合には、設定湯量の湯はりが完了するまでに、浴槽内に供給される湯が浴室内に放熱し得る期間が短いものとなる。その結果、浴室内の室温が十分に昇温していない状態で、ユーザの入浴が開始されてしまう場合がある。
【０００５】
本発明はかかる背景に鑑みてなされたものであり、ユーザが入浴を開始する前に浴室内の暖めておくことを効果的に実現することができる風呂装置を提供することを目的とする。
【課題を解決するための手段】
【０００６】
本発明の風呂装置は、上記の目的を達成するために、浴槽内の湯量があらかじめ設定された湯量である設定湯量になるように、加熱装置により加熱した湯を浴槽に供給する湯はり運転を実行可能な風呂装置であって、
前記湯はり運転を開始するとき、浴槽の蓋を開けるべき旨を示す第１報知情報を出力する第１報知部と、
前記第１報知情報の出力後、浴室の暖気が完了したか否かを判断する暖気判断部と、
前記浴槽内の湯量が前記設定湯量に達したか否かを判断する湯量判断部と、
前記暖気判断部の判断結果と前記湯量判断部の判断結果との両方が肯定的になったことを必要条件として、前記浴槽への湯はりが完了して入浴が可能な状態になった旨を示す第２報知情報を出力する第２報知部とを備えることを特徴とする（第１発明）。
【０００７】
なお、本発明において、「湯はり運転を開始するとき」というのは、湯はり運転の開始時でよいことはもちろんであるが、湯はり運転の開始直前又は開始直後のタイミングであってもよい。すなわち、「湯はり運転を開始するとき」というのは、湯はり運転の開始直前から開始直後の期間内の任意のタイミングでよい。
【０００８】
かかる第１発明によれば、湯はり運転を開始するとき、浴槽の蓋を開けるべき旨を示す第１報知情報が出力されることで、該第１報知情報を認識したユーザは、湯はり運転の初期に、浴槽の蓋を開けることを実施する。これにより、湯はり運転によって浴槽に供給された湯から浴室への放熱による浴室の暖気が促進される。
【０００９】
そして、前記暖気判断部の判断結果と前記湯量判断部の判断結果との両方が肯定的になったことを必要条件として、すなわち、浴槽内の湯量が設定湯量に達したことが湯量判断部により判断され、且つ浴室の暖気が完了したことが暖気判断部により判断されることを必要条件として、浴槽への湯はりが完了して入浴が可能な状態になった旨を示す第２報知情報が出力される。
【００１０】
この第２報知情報の出力に応じて、ユーザは浴槽への入浴を開始しようとする。この場合、該第２報知情報は浴室の暖気が完了したと判断された上で、出力される。このため、ユーザが、入浴のために浴室に入室するときには、浴室の暖気を十分に進行させておくことが可能となる。
【００１１】
よって、第１発明によれば、ユーザが入浴を開始する前に浴室内の暖めておくことを効果的に実現することが可能となる。
【００１２】
上記第１発明では、前記暖気判断部は、前記浴室の室温の検出値又は推定値と、前記浴槽内の湯温の検出値又は推定値と、あらかじめ設定された前記浴槽内の湯温の目標値とのうちの１つ以上のパラメータの値に応じて規定される判断条件に基づいて、前記浴室の暖気が完了したか否かを判断するように構成されていることが好ましい（第２発明）。
【００１３】
なお、本明細書において、浴室の室温等の任意の状態量の「検出値」は、該状態量を適宜のセンサもしくは検出器により検出してなる値を意味し、「推定値」は、該状態量と一定の相関関係を有する他の１つ以上の状態量の検出値から、該相関関係に基づいて推定してなる値、又は、該状態量の実際の値と一致もしくはほぼ一致するとみなし得る疑似的な推定値を意味する。該疑似的な推定値としては目標値又は指令値を使用することもできる。
【００１４】
上記第２発明によれば、前記暖気判断部は、浴室の室温という、浴室の暖気状態に直接的に関連するパラメータの値、あるいは、浴槽内の湯温という、浴槽内の湯から浴室への放熱による浴室の暖気状態に影響を及ぼしやすいパラメータの値を反映させた判断条件に基づいて、浴室の暖気が完了したか否かを判断することができる。このため、浴室の暖気が完了したか否かに関する信頼性の高い判断を行うことが可能となる。ひいては、暖気が完了したと判断されたときの浴室の暖気の過不足が極力生じないようにすることが可能となる。
【００１５】
上記第１発明又は第２発明では、前記暖気判断部は、前記湯量判断部の判断結果が肯定的になった後、前記浴槽内の湯温の検出値又は推定値が、前記湯量判断部の判断結果が肯定的になる前に前記浴槽に供給された湯水の温度よりも低い所定温度以下の温度に低下したときに、前記暖気が完了したと判断するように構成され得る（第３発明）。
【００１６】
これによれば、浴槽に供給された湯から浴室への放熱を、該浴槽内の湯温が所定温度に低下するまで、確実に行うことが可能となり、ひいては、浴室の暖気を適切に行うことが可能となる。また、前記所定温度の設定によって、浴槽に供給された湯から浴室への放熱量を制御することが可能となる。
【００１７】
上記第３発明では、前記暖気判断部は、前記所定温度を、前記設定湯量が小さいほど、低くするように該設定湯量に応じて可変的に設定するように構成されていることが好ましい（第４発明）。
【００１８】
これによれば、浴槽に供給された湯から浴室への放熱量を、設定湯量の大小によらずに、適量に制御することが可能となる。
【００１９】
上記第１〜第４発明では、前記加熱装置により加熱した湯は、湯はり水路を通って前記浴槽に供給されるように構成されており、該湯はり水路は、前記浴室内に設置され得る（第５発明）。
【００２０】
これによれば、加熱された湯が湯はり水路を通って浴槽に供給されるとき、湯はり水路から浴室への放熱が発生するので、浴室の暖気をより一層促進することが可能となる。ひいては、浴槽への湯はりの開始後、暖気完了までの期間を短くすることが可能となる。
【００２１】
上記第１〜第５発明では、前記第２報知部により第２報知情報を出力するための必要条件は、前記暖気判断部の判断結果と前記湯量判断部の判断結果との両方が肯定的になるという条件だけでもよいが、他の条件を含み得る。
【００２２】
例えば、前記湯量判断部の判断結果が肯定的になった後、前記浴槽内の湯温があらかじめ設定された目標値以上の温度になるように該浴槽内の湯を加熱する追い焚き運転を実行し得るように構成されている場合、前記第２報知部は、前記暖気判断部の判断結果と前記湯量判断部の判断結果との両方が肯定的になったことと、前記追い焚き運転によって、前記浴槽内の湯温の検出値又は推定値が、前記目標値以上の温度になったこととを必要条件として、前記第２報知情報を出力するように構成され得る（第６発明）。
【００２３】
これによれば、前記追い焚き運転によって、浴槽内の湯温の検出値又は推定値が、前記目標値以上の温度になった上で、前記第２報知情報が出力されるので、ユーザは、浴槽内の湯温が適温（目標値）になった状態で入浴を開始することが可能となる。このため、入浴開始時のヒートショックの発生を防止しつつ、快適な入浴を実現することが可能となる。
【００２４】
上記第１〜第５発明では、前記浴槽へのユーザの入浴の開始を検知する入浴検知部をさらに備えており、前記第２報知情報の出力後、前記入浴検知部によりユーザの入浴の開始が検知されたとき、前記浴槽内の湯温があらかじめ設定された目標値以上の温度になるように該浴槽内の湯を加熱する追い焚き運転を実行するように構成されているという態様を採用することもできる（第７発明）。
【００２５】
これによれば、ユーザが入浴を開始する前には、追い焚き運転が開始していないので、入浴開始直前における浴槽内の湯温と浴室の室温との温度差を小さくできる。このため、前記第２報知情報の出力に応じて、ユーザが入浴を開始するときのヒートショックの発生を効果的に防止することができる。そして、ユーザが入浴を開始すると、追い焚き運転が実行されるので、入浴開始後の初期に、浴槽内の湯温を適温（目標値）に上昇させることが可能となる。ひいては、快適な入浴を実現できる。
【図面の簡単な説明】
【００２６】
【図１】本発明の実施形態の風呂装置の全体構成を示す図。
【図２】図１に示す制御装置及びリモコンが有する機能を示すブロック図。
【図３】図１に示す制御装置の第１実施形態における制御処理を示すフローチャート。
【図４】図１に示す制御装置の第２実施形態における制御処理を示すフローチャート。
【発明を実施するための形態】
【００２７】
［第１実施形態］
本発明の第１実施形態を図１〜図３を参照して以下に説明する。図１を参照して、本実施形態の風呂装置１は、所謂、風呂給湯装置であり、浴室ＢＲの浴槽ＢＴに湯はりを行う湯はり運転、浴槽ＢＴ内の湯を加熱する追い焚き運転、浴槽ＢＴに足し湯を行う足し湯運転等の風呂運転を実行可能であると共に、浴室及び台所等の給湯箇所への給湯を行う給湯運転を実行可能である。
【００２８】
この風呂装置１は、本実施形態では、浴室ＢＲに設置された熱源機２を備える。この熱源機２は、該熱源機２内に水道水等の給湯用水を導入する給水路１０と、熱源機２内で加熱した給湯用水（湯）を台所、浴室等の給湯箇所に供給する給湯路１１とが接続されていると共に、浴槽ＢＴ内の湯水（以下、浴槽水という）を熱源機２との間で循環させる循環水路２０を介して浴槽ＢＴに接続されている。
【００２９】
そして、熱源機２内には、給水路１０により導入される給湯用水を加熱するための給湯用加熱装置１２と、浴槽ＢＴ内の湯水を加熱するための風呂用加熱装置２２とが搭載されている。
【００３０】
給湯用加熱装置１２は、燃焼式の加熱装置であり、加熱部としてのバーナ１３と、バーナ１３の燃焼熱により加熱される熱交換器１４と、これらのバーナ１３及び熱交換器１４を内部（燃焼室）に収容した燃焼筐１５とを備える。燃焼筐１５には、バーナ１３に燃焼用空気を供給する電動式の燃焼ファン１６が取り付けられている。また、燃焼筐１５には、バーナ１３の燃焼運転により生成される燃焼排ガスを屋外に導出する排気通路１５ａが接続されている。
【００３１】
バーナ１３は、例えばガスバーナである。このバーナ１３に燃料ガスを供給する燃料供給路１７には、これを開閉可能な２つの電磁弁１７ａ，１７ｂと、バーナ１３への燃料ガスの供給量を調整する燃料調整弁１７ｃとが取り付けられている。燃料調整弁１７ｃは、例えば比例弁や電動式の制御弁等により構成され得る。
【００３２】
上記構成の給湯用加熱装置１２では、燃焼ファン１６を作動させつつ、図示しない点火装置を作動させると共に、電磁弁１７ａ，１７ｂを開弁制御することで、バーナ１３が点火される。そして、バーナ１３の燃焼運転中に、燃料調整弁１７ｃを制御することで、バーナ１３への燃料供給量が調整され、ひいては、バーナ１３の火力が調整される。また、１７ａ，１７ｂの少なくとも一方を閉弁制御することで、バーナ１３への燃料供給が遮断され、ひいては、バーナ１３が消火される。
【００３３】
給水路１０の上流側は、図示しない給水源の配管に接続され、給湯路１１の下流側は浴室ＢＲ内に配置された給湯栓１１ａ、台所や洗面所に配置された給湯栓（図示省略）等を含む複数の給湯対象部に接続されている。そして、給湯用加熱装置１２の熱交換器１４は、給水路１０から給湯路１１への給湯用水の通水を該熱交換器１４を介して行い得るように、給水路１０と給湯路１１とに接続されている。また、給湯路１１には、その下流側に供給される湯水の温度である給湯温度を検出する温度センサ１８が取付けられている。
【００３４】
風呂用加熱装置２２は、給湯用加熱装置１２と同様の構成の加熱装置である。すなわち、該風呂用加熱装置２２は、給湯用加熱装置１２と同様に、バーナ（ガスバーナ）２３及び熱交換器２４と、これらを収容した燃焼筐２５とを備え、燃焼筐２５には、電動式の燃焼ファン２６が取り付けられていると共に、排気通路２５ａが接続されている。
【００３５】
また、バーナ２３に燃料ガスを供給する燃料供給路２７は、給湯用加熱装置１２側の燃料供給路１７のうちの電磁弁１７ａ，１７ｂの間の箇所から分岐され、該燃料供給路２７に、電磁弁２７ｂ及び燃料調整弁２７ｃが取り付けられている。そして、かかる構成の風呂用加熱装置２２では、バーナ２３の点火、火力調整及び消火は、給湯用加熱装置１２と同様に行われる。
【００３６】
循環水路２０は、浴槽水の循環時に熱源機２側から浴槽ＢＴに浴槽水を流す往路側水路２０ａと、浴槽ＢＴ側から熱源機２に浴槽水を流す復路側水路２０ｂとにより構成されている。往路側水路２０ａ及び復路側水路２０ｂのそれぞれの浴槽ＢＴ側の端部は、浴槽ＢＴの下部の側壁部に形成された給湯口ＢａにアダプタＢｂを介して接続されている。
【００３７】
また、往路側水路２０ａ及び復路側水路２０ｂのそれぞれの熱源機２側の端部は、復路側水路２０ｂから往路側水路２０ａヘの通水を風呂用加熱装置２２の熱交換器２４を介して行い得るように、該熱交換器２４に接続されている。
【００３８】
そして、往路側水路２０ａ及び復路側水路２０ｂのいずれか一方、例えば、復路側水路２０ｂには、電動式の循環ポンプ２１が取り付けられている。この循環ポンプ２１の作動により、循環水路２０での湯水の循環（浴槽ＢＴと熱源機２との間での湯水の循環）が行われる。
【００３９】
また、往路側水路２０ａ及び復路側水路２０ｂのいずれか一方、例えば、復路側水路２０ｂには、循環水路２０内を流れる湯水の温度を、浴槽ＢＴ内の湯水の温度（以降、風呂温度という）として検出する温度センサ３０と、浴槽ＢＴ内の水位を検出する水位センサ３１とが取り付けられている。水位センサ３１は、例えば水圧検知型の水位センサにより構成され得る。
【００４０】
循環水路２０の途中部、例えば循環ポンプ２１の下流側の復路側水路２０ｂの途中部が湯はり用水路３４を介して給湯路１１に接続されている。そして、湯はり用水路３４には、これを開閉可能な電磁弁３５（以降、湯はり弁３５という）と、該湯はり用水路３４の通水流量を検出する水量センサ３６とが取り付けられている。
【００４１】
従って、湯はり弁３５を開弁制御した状態で、給湯用加熱装置１２のバーナ１３の燃焼運転を行うことで、加熱された給湯用水（湯）を給湯路１１から湯はり用水路３４及び循環水路２０を介して浴槽ＢＴに給湯する（すなわち、浴槽ＢＴへの湯はりを行う）ことができるようになっている。また、浴槽ＢＴへの湯はり時には、水量センサ３６で検出される通水流量を積算することで、浴槽ＢＴに供給された湯量（体積）を検出することが可能である。
【００４２】
さらに、湯はり弁３５を閉弁制御した状態で、循環ポンプ２１を作動させることで、浴槽ＢＴ内の湯水が循環水路２０を介して循環する。そして、この循環状態で、風呂用加熱装置２２のバーナ２３の燃焼運転を行うことで、浴槽ＢＴ内の湯水を加熱する（すなわち、追い焚きを行う）ことができるようになっている。
【００４３】
補足すると、本実施形態では、前記循環水路２０が本発明における湯はり水路に相当する。そして、本実施形態では、熱源機２が浴室ＢＲ内に設置されていることに加えて、湯はり水路としての循環水路２０も浴室ＢＲ内に設置されている。
【００４４】
風呂装置１は、さらに、熱源機２の運転制御を行う機能を有する制御装置４０と、熱源機２の運転操作をユーザが行うためのリモコン５０とを備える。図１に示すリモコン５０は、浴室ＢＲ内に配置されたリモコンである。このリモコン５０は、図２に示すように、熱源機２の運転等に関する各種情報を表示する表示部５０ａと、音声、警報音等の音響情報を出力する発音部５０ｂと、複数の操作スイッチ等により構成される操作部５０ｃと、浴室ＢＲの室温（以降、浴室温度ということがある）を検出する温度センサ５０ｄとを含み、制御装置４０と有線又は無線による通信を行うことが可能である。
【００４５】
なお、図２に示す入浴検知用センサ６０及び入浴検知部４０ｅは、後述する第２実施形態に関するものであり、本実施形態では不要である。
【００４６】
リモコン５０の表示部５０ａは、例えば液晶表示器、有機ＥＬ表示器、ＬＥＤ表示器等により構成され、発音部５０ｂは、例えばスピーカ、ブザー等により構成される。また、詳細な図示は省略するが、リモコン５０の操作部５０ｃには、熱源機２の起動又は運転停止を制御装置４０に対して指令するための操作スイッチ、浴槽ＢＴの湯はり運転、追い焚き運転、足し湯運転等の各風呂運転の実行を制御装置４０に対して指令するための操作スイッチ、給湯温度の目標値を可変的に設定するための操作スイッチ、風呂温度の目標値を可変的に設定するための操作スイッチ、浴槽ＢＴ内の湯量の目標値（又は水位の目標値）を可変的に設定するための操作スイッチ等が含まれる。
【００４７】
ここで、本実施形態では、風呂装置１が実行可能な湯はり運転は、入浴当初のヒートショックの発生を防止するための機能を付加したヒートショック軽減湯はり運転と、当該機能を付加していない通常湯はり運転との２種類の湯はり運転があり、これらの２種類の湯はり運転のうちのいずれかの湯はり運転の実行を、リモコン５０の操作部５０ｃの操作によって選択的に制御装置４０に指令することが可能である。
【００４８】
補足すると、風呂装置１は、浴室ＢＲに配置されるリモコン５０の他、台所等、浴室ＢＲ以外の箇所に配置される１つ以上のリモコンをさらに含み得る。この場合、他のリモコンも、表示部や発音部、操作部を有すると共に、制御装置４０と通信可能である。ただし、各リモコンの操作部等の構成もしくは機能は互いに異なっていてもよい。また、各リモコンの表示部は、タッチパネル型の表示部であってもよく、その場合、該表示部に、操作部の全体もしくは一部が含まれ得る。また、各リモコンの操作部は、操作スイッチ以外に、音声入力部を含み得る。
【００４９】
制御装置４０は、例えば、マイクロコンピュータ、メモリ、インターフェース回路等を含む１つ以上の電子回路ユニットにより構成されている。この制御装置４０には、リモコン５０を含む各リモコンの操作部の操作情報が各リモコンから与えられる。さらに、制御装置４０には、前記温度センサ１８，３０，５０ｄ、水位センサ３１、水量センサ３６等、風呂装置１に備えられた各センサの検出データが入力される。
【００５０】
そして、制御装置４０は、実装されたハードウェア構成およびプログラム（ソフトウェア構成）の両方又は一方により実現される機能によって、熱源機２の運転（給湯運転並びに、湯はり運転、追い焚き運転、足し湯運転等の風呂運転）に関する種々の制御処理を実行し得る。
【００５１】
本実施形態では、制御装置４０は、給湯用加熱装置１２、風呂用加熱装置２２、循環ポンプ２１、及び湯はり用水路３４の湯はり弁３５の作動制御を行う機能を有する他、前記ヒートショック軽減湯はり運転に関する後述の制御処理を実行するために、浴槽ＢＴ内の湯量がその目標値としての設定湯量に達したか否かを判断する湯量判断部４０ａとしての機能と、浴室ＢＲの暖気が完了したか否かを判断する暖気判断部４０ｂとしての機能と、浴槽ＢＴの蓋Ｂｃを開けるべき旨の報知情報を出力する第１報知部４０ｃとしての機能と、ヒートショック軽減湯はり運転が完了して入浴可能な状態になった旨の報知情報を発生する第２報知部４０ｄとしての機能とを有する。
【００５２】
ここで、上記設定湯量に関して補足すると、リモコン５０の操作部５０ｃ（又は他のリモコンの操作部）の操作によって、浴槽ＢＴ内の湯量（湯水の体積）の目標値を設定し得る場合には、その目標値が設定湯量に相当する。また、リモコン５０の操作部５０ｃ（又は他のリモコンの操作部）の操作によって、浴槽ＢＴ内の水位（水面高さ）の目標値を設定し得る場合には、該浴槽ＢＴ内の水位が目標値に一致する状態での該浴槽ＢＴ内の湯量が設定湯量に相当する。
【００５３】
次に、リモコン５０の操作部５０ｃ（又は他のリモコンの操作部）の操作によって、ヒートショック軽減湯はり運転の実行が制御装置４０に対して指令された場合の風呂装置１の作動を説明する。
【００５４】
この場合、制御装置４０は、図３のフローチャートに示す制御処理を実行する。ＳＴＥＰ１において、制御装置４０は、浴槽ＢＴの蓋Ｂｃを開けるべき旨の報知情報を出力することを、リモコン５０を含む各リモコンに指令する。本実施形態では、このＳＴＥＰ１の処理が、前記第１報知部４０ｃの処理であり、該ＳＴＥＰ１で出力される報知情報が本発明における第１報知情報に相当する。
【００５５】
このとき、リモコン５０では、例えば、当該報知情報（第１報知情報）を示す音声を発音部５０ｂから出力する。他のリモコンについても同様である。当該報知情報の出力に応じて、ユーザは、浴槽ＢＴの蓋Ｂｃを開ける作業を実行する。なお、上記報知情報を音声により出力することに加えて、各リモコンの表示部で、当該報知情報を表示してもよい。また、当該報知情報の出力は、以下に説明するＳＴＥＰ２で浴槽ＢＴへの湯はりを開始するのと同時に行ってもよく、あるいは、該湯はりの開始直後に行ってもよい。
【００５６】
次いで、ＳＴＥＰ２において、制御装置４０は、浴槽ＢＴへの湯はりを開始させる。具体的には、制御装置４０は、湯はり弁３５を開弁制御すると共に、給湯用加熱装置１２のバーナ１３の燃焼運転を開始させる。そして、制御装置４０は、温度センサ１８により検出される給湯温度が、リモコン５０であらかじめ設定された風呂温度の目標値（以降、目標風呂温度という）に一致もしくはほぼ一致するように、バーナ１３の燃焼量を制御する。該バーナ１３の燃焼量の制御は、燃料調整弁１７ｃ及び燃焼ファン１６の作動制御を通じて行われる。
【００５７】
これにより、目標風呂温度に一致もしくはほぼ一致する温度に加熱された湯が、給湯路１１から湯はり用水路３４及び循環水路２０を介して浴槽ＢＴに供給される（浴槽ＢＴへの湯はりが行われる）。なお、浴槽ＢＴへの給湯（湯はり）は間欠的に行ってもよい。
【００５８】
この場合、浴槽ＢＴの蓋Ｂｃを開けた状態で、浴槽ＢＴへの湯はりが行われることで、浴槽ＢＴ内の湯から浴室ＢＲの空間への放熱が促進され、ひいては、浴室ＢＲ内の暖気が進行する。加えて、本実施形態では、給湯用加熱装置１２を含む熱源機２及び循環水路２０が浴室ＢＲ内に設置されている。よって、浴槽ＢＴに供給する湯を給湯用加熱装置１２により加熱するときに該給湯用加熱装置１２のバーナ１３で発生する熱の一部が、浴槽ＢＴに供給される湯を介して浴室に伝達されるだけでなく、浴槽ＢＴに供給される湯に伝達される熱以外の熱（例えば、燃焼筐１５が保有する熱や、燃焼排ガスの熱の一部）が、浴室ＢＲ内に放熱される。また、加熱された湯が循環水路２０を通って浴槽ＢＴに供給されるとき、循環水路２０から浴室ＢＴへの放熱も発生する。このため、浴室ＢＲの暖気が効果的に促進される。
【００５９】
制御装置４０は、このように浴槽ＢＴへの湯はりを行いながら、ＳＴＥＰ３において、浴槽ＢＴ内の湯量（以降、湯はり量という）が、設定湯量に達したか否かを判断する判断処理を、その判断結果が肯定的になるまで逐次実行する。本実施形態では、この判断処理が、前記湯量判断部４０ａの処理に相当する。
【００６０】
この場合、制御装置４０は、例えば、水位センサ３１により検出される浴槽ＢＴ内の水位が、リモコン５０であらかじめ設定された目標水位に達したときに、湯はり量が設定湯量に達したと判断する。
【００６１】
あるいは、制御装置４０は、例えば、水位センサ３１により検出される浴槽ＢＴ内の水位が、浴槽ＢＴの給湯口Ｂａの水位以上の基準水位に達した後、水量センサ３６で検出される通水流量の積算値（浴槽ＢＴに供給された湯量）が、リモコン５０であらかじめ設定された目標水位と上記基準水位とを用いて算出される必要湯量（浴槽ＢＴ内の水位を基準水位から目標水位まで上昇させるのに要する湯量）に達したときに、湯はり量が設定湯量に達したと判断する。
【００６２】
あるいは、制御装置４０は、例えば、浴槽ＢＴへの湯はりの開始時から、水量センサ３６を介して検出される通水流量の積算値が、リモコン５０であらかじめ設定された目標湯量に達したときに、湯はり量が設定湯量に達したと判断する。
【００６３】
なお、浴槽ＢＴ内の湯量が目標湯量になるように浴槽ＢＴへの湯はりを自動的に行い、もしくは、浴槽ＢＴ内の水位が目標水位になるように浴槽ＢＴへの湯はりを自動的に行う手法は、種々様々な手法が公知になっている。そして、ＳＴＥＰ３の判断処理は、それぞれの湯はり手法に合わせた態様で行えばよい。
【００６４】
湯はり量が設定湯量に達することによって、ＳＴＥＰ３の判断結果が肯定的になると、制御装置４０は、ＳＴＥＰ４において、浴槽ＢＴへの湯はり（給湯）を終了する。この場合、制御装置４０は、湯はり弁３５を閉弁制御する。また、浴槽ＢＴ以外の給湯対象部への給湯を行っていない場合（湯はり弁３５の閉弁制御によって、給水路１０及び給湯路１１の通水が停止した場合）には、制御装置４０は、給湯用加熱装置１２のバーナ１３の燃焼運転を停止させる。
【００６５】
さらに、ＳＴＥＰ５において、制御装置４０は、湯はりの終了後に、浴室ＢＲの暖気（浴槽ＢＴ内の湯水の放熱による暖気）を継続すべき所要時間としての暖気必要時間ｔｗを設定すると共に、湯はりの終了後の経過時間の計時を開始する。
【００６６】
ここで、本実施形態では、制御装置４０は、例えば、ＳＴＥＰ２での湯はりの開始時（又はその直前もしくは直後）において、リモコン５０の温度センサ５０ｄで検出された浴室温度（以降、湯はり初期の浴室温度Ｔs0という）を該リモコン５０から取得して記憶保持している。そして、ＳＴＥＰ５では、制御装置４０は、湯はり初期の浴室温度Ｔs0の検出値に応じて、暖気必要時間ｔｗを設定する。
【００６７】
具体的には、制御装置４０は、例えば、湯はり初期の浴室温度Ｔs0の検出値が、Ｔs0＜５℃である場合はｔ１＝１５分、５℃≦Ｔs0＜１０℃である場合はｔ１＝１０分、１０℃≦Ｔs0＜１５℃である場合はｔ１＝５分、というように、湯はり初期の浴室温度Ｔs0の検出値が低いほど、暖気必要時間ｔｗが長くなるように該暖気必要時間ｔｗを設定する。
【００６８】
補足すると、暖気必要時間ｔｗの設定態様は上記の態様に限られない。例えば、湯はり終了時（又は、その直前もしくは直後）における浴室温度（以降、湯はり終期の浴室温度という）の検出値に応じて暖気必要時間ｔｗを設定してもよい。あるいは、例えば、湯はり初期の浴室温度Ｔs0の検出値と湯はり終期の浴室温度の検出値との両方に応じて、もしくはこれらの検出値の差に応じて暖気必要時間ｔｗを設定してもよい。あるいは、例えば、湯はりの実行中における浴室温度の検出値の時間的変化率に応じて、暖気必要時間ｔｗを設定してもよい。
【００６９】
さらに、例えば、浴室温度の検出値やその時間的変化率の代わりに、あるいは、該検出値やその時間的変化率に加えて、リモコン５０であらかじめ設定された目標風呂温度（又は、浴槽ＢＴへの湯はり時に該浴槽ＢＴに供給する湯の温度の目標値）に応じて暖気必要時間ｔｗを設定してもよい。例えば、目標風呂温度が高いほど、暖気必要時間ｔｗが短くなるように該暖気必要時間ｔｗを設定してもよい。
【００７０】
さらに、例えば、浴室温度の検出値やその時間的変化率の代わりに、あるいは、該検出値やその時間的変化率に加えて、湯はりの開始時から終了時までに要した時間に応じて暖気必要時間ｔｗを設定してもよい。例えば、湯はりの開始時から終了時までに要した時間が短いほど、暖気必要時間ｔｗが長くなるように該暖気必要時間ｔｗを設定してもよい。
【００７１】
さらに、例えば、浴室温度の検出値やその時間的変化率の代わりに、あるいは、該検出値やその時間的変化率に加えて、湯はり完了後、所定時間内での浴槽ＢＴ内の湯温の時間的変化率を温度センサ３０を介して計測し、該時間的変化率に応じて暖気必要時間ｔｗを設定してもよい。
【００７２】
さらに、例えば、外気温度や浴室ＢＲに隣接する脱衣室の室温を検出もしくは推定し得る場合には、該外気温度や脱衣室の室温を反映させて、暖気必要時間ｔｗを設定してもよい。
【００７３】
なお、暖気必要時間ｔｗを、浴室温度等によらずに、あらかじめ定めた一定値（固定値）にしたり、あるいは、ユーザが所定の範囲内で所望の時間に設定し得るようにするという態様を採用することも可能である。また、暖気必要時間ｔｗの設定及び経過時間の計時開始は、ＳＴＥＰ４での湯はり終了の直後（又は湯はり終了時）に限らず、例えば、ＳＴＥＰ２での湯はり開始時（又はその直後）に、行うようにしてもよい。
【００７４】
次いで、ＳＴＥＰ６において、制御装置４０は、ＳＴＥＰ５で設定した暖気必要時間ｔｗが経過したか否か（湯はり終了後の経過時間の計時値が暖気必要時間ｔｗに達したか否か）を判断する判断処理を、その判断結果が肯定的になるまで逐次実行する。この場合、浴槽ＢＴの蓋Ｂｃが開いたままに維持されているので、ＳＴＥＰ６の判断処理の継続中に、浴槽ＢＴ内の湯から浴室ＢＲ内への放熱が継続的に進行し、ひいては、浴室ＢＲの暖気が継続的に進行する。
【００７５】
本実施形態では、上記ＳＴＥＰ６の判断処理は、換言すれば、浴室ＢＲの暖気が完了したか否かの判断する処理、すなわち、前記暖気判断部４０ｂの処理に相当する。そして、ＳＴＥＰ６の判断結果が肯定的になると（暖気が完了したと判断されると）、制御装置４０は、次にＳＴＥＰ７において、浴槽ＢＴ内の湯の追い焚きを開始する。
【００７６】
具体的には、制御装置４０は、湯はり弁３５を閉弁維持した状態で、循環ポンプ２１を作動させると共に、風呂用加熱装置２２のバーナ２３の燃焼運転を開始させる。そして、制御装置４０は、温度センサ３０で検出される浴槽ＢＴ内の湯の温度（風呂温度）を、リモコン５０であらかじめ設定された目標風呂温度に一致もしくはほぼ一致する温度に昇温させるように、バーナ２３の燃焼量を制御する。該バーナ２３の燃焼量の制御は、燃料調整弁２７ｃ及び燃焼ファン２６の作動制御を通じて行われる。これにより、浴槽ＢＴ内の湯が循環水路２０を通って循環しつつ、加熱される。
【００７７】
このように浴槽ＢＴ内の湯の追い焚きを行いながら、制御装置４０は、ＳＴＥＰ８において、温度センサ３０で検出される風呂温度が、目標風呂温度に達したか否かを判断する処理を、その判断結果が肯定的になるまで逐次実行する。
【００７８】
そして、ＳＴＥＰ８の判断結果が肯定的になると、ＳＴＥＰ９において、制御装置４０は、追い焚きを終了する。具体的には、制御装置４０は、循環ポンプ２１の作動を停止すると共に、風呂用加熱装置２２のバーナ２３の燃焼運転を停止させる。
【００７９】
さらに、ＳＴＥＰ１０において、制御装置４０は、湯はり運転（ヒートショック軽減湯はり運転）が完了して、浴槽ＢＴへの入浴が可能な状態になった旨の報知情報を出力することを、リモコン５０を含む各リモコンに指令する。本実施形態では、このＳＴＥＰ１０の処理が、前記第２報知部４０ｄの処理であり、該ＳＴＥＰ１０で出力される報知情報が本発明における第２報知情報に相当する。
【００８０】
このとき、リモコン５０では、例えば、当該報知情報（第２報知情報）を示す音声を発音部５０ｂから出力する。他のリモコンについても同様である。なお、当該報知情報は、湯はり運転が完了したという情報と、入浴が可能な状態になったという情報との両方を含む内容のものでもよいことはもちろんであるが、いずれか一方の情報から、他方の情報も認識し得る。従って、当該報知情報は、いずれか一方の情報だけをを含む内容のものであってもよい。また、当該報知情報を音声により出力することに加えて、各リモコンの表示部で、当該報知情報を表示してもよい。
【００８１】
本実施形態では、ヒートショック軽減湯はり運転は、以上説明した如く実行される。かかる本実施形態によれば、湯量判断部４０ａの処理に相当するＳＴＥＰ３の判断結果が肯定的になることに加えて、暖気判断部４０ｂの処理に相当するＳＴＥＰ６の判断結果が肯定的になると共に、これらのＳＴＥＰ３、６の判断結果が肯定的になった後の浴槽ＢＴ内の湯水の追い焚きによって風呂温度が目標風呂温度に達することを必要条件として、ＳＴＥＰ１０での報知情報（湯はり運転が完了して、浴槽ＢＴへの入浴が可能な状態になった旨の報知情報）が出力される。
【００８２】
そして、この報知情報の出力に応じて、ユーザが、浴槽ＢＴに入浴できる状態になったことを認識し、その後、入浴を開始する。この場合、浴室ＢＲにユーザが入室する前に、浴槽ＢＴ内の湯の放熱による浴室ＢＲの暖気が十分に進行しているので、ヒートショックの発生を効果的に防止することが可能となる。
【００８３】
また、前記暖気必要時間ｔｗを、前記した如く浴室温度等に応じて設定することで、前記ＳＴＥＰ６の判断結果が、浴室ＢＲの暖気が完了したか否かの判断結果を表すものとしての信頼性を高めることができる。このため、浴室ＢＲの暖気が不足した状態でＳＴＥＰ１０での報知情報（第２報知情報）が出力されてしまったり、あるいは、浴室ＢＲの暖気の期間が必要以上に長くなって、ＳＴＥＰ１０での報知情報の出力が遅くなり過ぎるのを適切に防止することができる。
【００８４】
また、本実施形態では、ＳＴＥＰ３、６の判断結果が肯定的になった後、追い焚きを行った上で、ＳＴＥＰ１０での報知情報（第２報知情報）が出力されるので、風呂温度が、ユーザが設定した目標風呂温度に一致もしくはほぼ一致する温度になった状態で、浴槽ＢＴへの入浴を開始することができる。従って、快適な入浴を行うことができる。
【００８５】
さらに、本実施形態では、浴槽ＢＴに供給する湯を給湯用加熱装置１２により加熱するときに該給湯用加熱装置１２のバーナ１３で発生する熱の一部が浴室ＢＲ内に放熱されると共に、加熱された湯が循環水路２０を通って浴槽ＢＴに供給されるときに、循環水路２０から浴室ＢＴへの放熱が発生する。このため、浴槽ＢＴに供給された湯から浴室ＢＲへの放熱と併せて、浴室ＢＲの暖気をより一層促進することができ、ひいては、暖気完了までの期間を短くすることができる。
【００８６】
［第２実施形態］
次に、本発明の第２実施形態を図２及び図４を参照して説明する。なお、本実施形態は、一部の構成及び制御処理だけが第１実施形態と相違するものであるので、第１実施形態と同一の事項については説明を省略する。
【００８７】
図２を参照して、本実施形態では、風呂装置１は、浴槽ＢＴへの入浴の有無（詳しくは、ユーザが浴槽ＢＴ内の湯に入ったか否か）を検知するための入浴検知用センサ６０を備えており、この入浴検知用センサ６０の検出データが制御装置４０に入力される。上記入浴検知用センサ６０は、例えば浴室ＢＲ内に設置され、もしくは、リモコン５０に搭載される公知の人感センサにより構成される。
【００８８】
そして、制御装置４０は、実装されたハードウェア構成及びプログラムの両方又は一方により実現される機能として、第１実施形態と同様の機能に加えて、入浴検知用センサ６０の検出データに基づいて入浴の有無を検知する入浴検知部４０ｅとしての機能をさらに有する。該入浴検知部４０ｅは、例えば、浴槽ＢＴへの湯はりの終了後に、入浴検知用センサ６０により浴槽ＢＴ内に人が存在することが検知された場合に、その人（ユーザ）が入浴を開始したことを検知する。
【００８９】
なお、入浴検知用センサ６０は、人感センサに限られない。例えば、浴室ＢＲ内の音を検出するセンサや、水位センサ３１等を入浴検知用センサ６０として利用することも可能である。
【００９０】
本実施形態の風呂装置１は、上記の如く、入浴検知用センサ６０及び入浴検知部４０ｅを備える点で第１実施形態と相違し、これ以外の構成は第１実施形態と同じである。ただし、本実施形態では、制御装置４０の機能のうちの暖気判断部４０ｂの処理と、第２報知部４０ｄによる報知情報（第２報知情報）の出力タイミングとは、後述する如く第１実施形態と相違する。
【００９１】
次に、本実施形態の風呂装置１の作動を説明する。本実施形態では、制御装置４０は、リモコン５０の操作部５０ｃ（又は他のリモコンの操作部）の操作によって、ヒートショック軽減湯はり運転の実行が指令されたとき、図４のフローチャートに示す制御処理を実行する。
【００９２】
この場合、ＳＴＥＰ２１〜２４の処理は、第１実施形態におけるＳＴＥＰ１〜４の処理を同じである。そして、制御装置４０は、本実施形態では、ＳＴＥＰ２４で浴槽ＢＴへの湯はりを終了した後、浴槽ＢＴ内の湯温（風呂温度）を前記温度センサ３０を介して監視するために、ＳＴＥＰ２５において、循環ポンプ２１を作動させる。
【００９３】
このように循環ポンプ２１を作動させた状態で、制御装置４０は、ＳＴＥＰ２６において、温度センサ３０により検出される風呂温度が、所定温度以下の温度に低下したか否かを判断する処理を、その判断結果が肯定的になるまで逐次実行する。ここで、ＳＴＥＰ２６における上記所定温度は、リモコン５０であらかじめ設定された目標風呂温度よりも所定値αだけ低い温度である。該所定値αは、例えば、あらかじめ定めた一定値（固定値）である。
【００９４】
この場合、浴槽ＢＴの蓋Ｂｃが開いたままに維持されているので、ＳＴＥＰ２６の判断処理の継続中に、浴槽ＢＴ内の湯から浴室ＢＲ内への放熱が継続的に進行し、ひいては、浴室ＢＲの暖気が継続的に進行する。また、浴槽ＢＴ内の湯温（風呂温度）が放熱により低下していく。
【００９５】
補足すると、ＳＴＥＰ２６の判断処理に係る上記所定値αは、前記第１実施形態における暖気必要時間ｔｗの設定の場合と同様に、例えば、前記した湯はり初期の浴室温度の検出値、あるいは、湯はり終期の浴室温度の検出値、あるいは、これらの検出値の差、あるいは、湯はりの実行時の浴室温度の時間的変化率、あるいは、目標風呂温度、あるいは、湯はりの開始時から終了時までの所要時間、あるいは、湯はり完了後の所定時間内での浴槽ＢＴ内の湯温の時間的変化率、あるいは、外気温度もしくは脱衣室の室温の検出値等に応じて可変的に設定してもよい。あるいは、該所定値αは、ユーザが所定の範囲内で所望の値に設定し得るようにしてもよい。
【００９６】
また、上記所定値αを、リモコン５０で設定された目標湯量、又は目標水位に対応する湯量としての前記設定湯量に応じて変化させる（ひいては、前記ＳＴＥＰ２６における所定温度を前記設定湯量に応じて変化させる）ように設定してもよい。例えば、次式（１）で示す如く、浴槽ＢＴに湯はりする湯から浴室ＢＲに放熱させるべき熱量の目標値（以降、浴室目標投入熱量という）を、設定湯量で除算してなる値を上記所定値αとして設定してもよい。
【００９７】
α＝浴室目標投入熱量／設定湯量    ……（１）
【００９８】
この場合、浴室目標投入熱量は、あらかじめ定めた一定値（固定値）でもよいが、例えば湯はり終期の浴室温度の検出値や、外気温度の検出値等に応じて設定してもよい。このように所定値αを設定した場合、設定湯量が小さいほど、所定値αが大きくなるように設定されるので、ＳＴＥＰ２６における所定温度は、設定湯量が小さいほど、低い温度になるように設定されることとなる。なお、所定値αを、設定湯量から、あらかじめ作成されたマップ等を用いて設定するようにしてもよい。
【００９９】
本実施形態では、上記ＳＴＥＰ２６の判断処理は、換言すれば、浴室ＢＲの暖気が完了したか否かを判断する処理、すなわち、前記暖気判断部４０ｂの処理に相当する。そして、ＳＴＥＰ２６の判断結果が肯定的になると（暖気が完了したと判断されると）、制御装置４０は、次にＳＴＥＰ２７において、循環ポンプ２１の作動を停止させる。なお、本実施形態では、循環ポンプ２１の作動を継続した状態で、風呂温度に関するＳＴＥＰ２６の判断処理を逐次実行したが、循環ポンプ２１を一定周期で間欠的に作動させ、該循環ポンプ２１の作動中の期間内だけ、ＳＴＥＰ２６の判断処理を実行するようにしてもよい。
【０１００】
続いて、ＳＴＥＰ２８において、制御装置４０は、湯はり運転（ヒートショック軽減湯はり運転）が完了して、浴槽ＢＴへの入浴が可能な状態になった旨の報知情報を出力することを、リモコン５０を含む各リモコンに指令する。本実施形態では、このＳＴＥＰ２８の処理が、第２報知部４０ｄの処理であり、該ＳＴＥＰ２８で出力される報知情報が本発明における第２報知情報に相当する。
【０１０１】
このとき、第１実施形態のＳＴＥＰ１０と同様に、リモコン５０の発音部５０ｂを含めた各リモコンの発音部から、当該報知情報（第２報知情報）を示す音声が出力される。なお、当該報知情報を音声により出力することに加えて、各リモコンの表示部で、当該報知情報を表示してもよい
【０１０２】
次いで、制御装置４０は、ＳＴＥＰ２９において、ユーザが入浴を開始したか否かを判断する処理を、その判断結果が肯定的になるまで逐次実行する。このＳＴＥＰ２９の判断処理は、前記入浴検知部４０ｅの処理であり、前記入浴検知用センサ６０の検出データに基づいて行われる。
【０１０３】
そして、ＳＴＥＰ２９の判断結果が肯定的になると、制御装置４０は、次にＳＴＥＰ３０において、浴槽ＢＴ内の湯の追い焚きを開始させる。具体的には、制御装置４０は、第１実施形態における追い焚きの実行時と同様に、循環ポンプ２１を作動させると共に、風呂用加熱装置２２のバーナ２３の燃焼運転を開始させ、さらに、温度センサ３０により検出される風呂温度が、リモコン５０で設定された目標風呂温度に一致もしくはほぼ一致するように、バーナ２３の燃焼量を制御する。
【０１０４】
このように浴槽ＢＴ内の湯の追い焚きを行いながら、制御装置４０は、ＳＴＥＰ３１において、温度センサ３０により検出される風呂温度が目標風呂温度に達したか否かを判断する処理を、その判断結果が肯定的になるまで逐次実行する。
【０１０５】
そして、ＳＴＥＰ３１の判断結果が肯定的になると、制御装置４０は、追い焚きを終了させる。この場合、制御装置４０は、循環ポンプ２１の作動を停止させると共に、風呂用加熱装置２２のバーナ２３の燃焼運転を停止させる。
【０１０６】
本実施形態では、ヒートショック軽減湯はり運転は、以上説明した如く実行される。かかる本実施形態によれば、湯量判断部４０ａの処理に相当するＳＴＥＰ２３の判断結果が肯定的になることに加えて、暖気判断部４０ｂの処理に相当するＳＴＥＰ２６の判断結果が肯定的になることを必要条件として、ＳＴＥＰ２８での報知情報（湯はり運転が完了して、浴槽ＢＴへの入浴が可能な状態になった旨の報知情報）が出力される。
【０１０７】
そして、この報知情報の出力に応じて、ユーザが、浴槽ＢＴに入浴できる状態になったことを認識し、その後、入浴を開始する。この場合、浴室ＢＲにユーザが入室する前に、浴槽ＢＴ内の湯の放熱による浴室ＢＲの暖気が十分に進行しているので、ヒートショックの発生を効果的に防止することが可能となる。
【０１０８】
また、前記ＳＴＥＰ２６での所定温度（＝目標風呂温度−α）を規定する所定値αを、浴室温度等に応じて可変的に設定することで、前記ＳＴＥＰ２６の判断結果が、浴室ＢＲの暖気が完了したか否かの判断結果を表すものとしての信頼性を高めることができる。このため、浴室ＢＲの暖気が不足した状態でＳＴＥＰ２８での報知情報（第２報知情報）が出力されてしまったり、あるいは、浴室ＢＲの暖気の期間が必要以上に長くなって、ＳＴＥＰ２８での報知情報の出力が遅くなり過ぎるのを適切に防止することができる。
【０１０９】
特に、上記所定値αを、前記設定湯量に応じて前記した如く可変的に設定した場合には、湯はりの終了後、前記ＳＴＥＰ２６の判断結果が肯定的になるまでに、浴槽ＢＴ内の湯から浴室ＢＲへの放熱量を、設定湯量によらずに、ほぼ一定量にすることができる。このため、設定湯量によらずに、浴室ＢＲの暖気を安定的に行うことができる。
【０１１０】
また、本実施形態では、ＳＴＥＰ２６での報知情報（第２報知情報）の出力後、ユーザが浴槽ＢＴへの入浴を開始してから、浴槽ＢＴ内の湯の追い焚きが自動的に開始される。このため、ユーザが入浴を開始する前には、追い焚きが開始していないので、入浴開始直前における浴槽ＢＴ内の湯温と浴室温度との温度差を小さくできる。これにより、ユーザが入浴を開始するときのヒートショックの発生を効果的に防止することができる。そして、ユーザが入浴を開始すると、追い焚きが開始されるので、入浴開始後の初期に、浴槽ＢＴ内の湯温を適温（目標風呂温度）にすることが可能となる。ひいては、ヒートショックの発生を効果的に防止しつつ、快適な入浴を実現することが可能となる。
【０１１１】
なお、本発明は、以上説明した第１実施形態及び第２実施形態に限定されるものではなく、他の実施形態を採用することもできる。以下に他の実施形態をいくつか説明する。
【０１１２】
前記第１実施形態では、ＳＴＥＰ７〜９での追い焚き運転の実行後に、ＳＴＥＰ１０での報知情報（第２報知情報）を出力するようにした。ただし、例えば、ＳＴＥＰ６の判断結果が肯定的になったとき（暖気が完了したと判断されたとき）に、当該報知情報（第２報知情報）を出力し、続いて、追い焚き運転を自動的に実行したり、あるいは、図４のＳＴＥＰ２９〜３２と同じ処理を実行したり、あるいは、該追い焚き運転の実行を省略してもよい。
【０１１３】
また、例えば、第２実施形態でのＳＴＥＰ２８での報知情報（第２報知情報）の出力後、続いて、追い焚き運転を自動的に実行したり、あるいは、ＳＴＥＰ２９〜３２の処理を省略してもよい。また、ＳＴＥＰ２６の判断結果が肯定的になったとき（暖気が完了した判断されたとき）に、続いて、追い焚き運転を自動的に実行し、該追い焚き運転の終了後に、ＳＴＥＰ２８での報知情報（第２報知情報）を出力するようにしてもよい。
【０１１４】
また、例えば浴槽ＢＴへの湯はり（給湯）において、目標風呂温度より所定値だけ高い温度に加熱した湯を設定湯量まで浴槽ＢＴに供給し、その後、浴槽ＢＴ内の湯温の検出値が目標風呂温度まで低下したときに、浴室ＢＲの暖気が完了したと判断するようにしてもよい。
【０１１５】
また、前記各実施形態では、浴室温度と風呂温度（浴槽ＢＴ内の湯温）とをそれぞれ温度センサ５０ｄ，３０により検出するものを例示したが、該浴室温度や風呂温度を、該温度と一定の相関関係を有する他の１つ以上のパラメータの検出値から、該相関関係に基づいて推定するようにしてもよい。
【０１１６】
また、前記各実施形態では、熱源機２の給湯用加熱装置１２及び風呂用加熱装置２２は、燃焼式の加熱装置であるが、該給湯用加熱装置１２及び風呂用加熱装置２２は、燃焼式に限らず、電気式の加熱装置、あるいは、ヒートポンプ装置等であってもよい。
【０１１７】
また、前記各実施形態では、風呂装置１は、風呂運転に加えて、浴槽ＢＴ以外の給湯対象部への給湯運転を行う機能を有する装置であるが、風呂装置１は、当該給湯運転機能を備えないものであってもよい。また、風呂装置１が実行し得る風呂運転は、例えば湯はり運転だけであってもよい。
【符号の説明】
【０１１８】
１…風呂装置、１２…加熱装置、２０…循環水路（湯はり水路）、４０ａ…湯量判断部、４０ｂ…暖気判断部、４０ｃ…第１報知部、４０ｄ…第２報知部、４０ｅ…入浴検知部、ＢＴ…浴槽、Ｂｃ…蓋、ＢＲ…浴室。
【図１】
2020143803.tif 000003
【図２】
2020143803.tif 000004
【図３】
2020143803.tif 000005
【図４】
2020143803.tif 000006